(57)【要約】【課題】  負荷を調節しやすく又乗降し易い下肢用筋力訓練機を提供すること。【解決手段】  運動者が乗る乗部（２）と、運動者が足で押す足押板（３）と、乗部（２）の移動に負荷を掛ける荷重部（５）と、乗部（２）の前方へ運動者が出入り可能な空間を設けて乗部（２）に足押板（３）を連結する足押板連結部（６）と、乗部（２）に荷重部（５）を連結設置する荷重連結具（７）とからなり、運動者は、前記差込位置の変更に係る差込ピン（２８）の抜き差し操作を行なうことが出来、更に、前記足押板連結部(６)上に踏み上がり通り抜け出来、更に、下肢用筋力訓練機（１）の左右いずれの側からでも乗部（２）へ近づき乗ることが出来る下肢用筋力訓練機である。【選択図】      図１
2007000448.tif 000002
【特許請求の範囲】
【請求項１】
運動者が乗る乗部（２）と、運動者が足で押す足押板（３）と、乗部（２）の移動に負荷を掛ける荷重部（５）と、乗部（２）の前方へ運動者が出入り可能な空間を設けて乗部（２）に足押板（３）を連結する足押板連結部（６）と、乗部（２）に荷重部（５）を連結設置する荷重連結具（７）とからなり、
前記荷重部（５）は、複数の錘（２７）が積み重ねられてなり、負荷となる錘（２７）の数は差込ピン（２８）の差込位置により変更され、荷重部（５）は、荷重連結具（７）によって乗部（２）の真横へ並列に接近して連結配置され、前記足押板連結部（６）の左右側部には空間が確保され、足押板連結部（６）は、足押板（３）と乗部（２）を連結する基枠（１３）と、基枠（１３）に被設する平板（２３）とからなり、足押板連結部（６）は低位置に設けられ、
運動者は、前記差込位置の変更に係る差込ピン（２８）の抜き差し操作を行なうことが出来、更に、前記足押板連結部(６)上に踏み上がり通り抜け出来、更に、下肢用筋力訓練機（１）の左右いずれの側からでも乗部（２）へ近づき乗ることが出来ることを特徴とする下肢用筋力訓練機。
【請求項２】
荷重連結具（７）は、パイプ（５１）であり、該パイプ（５１）は長さの異なる他のパイプ（５１ａ）と交換でき、乗部（２）と荷重部（５）の離間距離を変更出来ることを特徴とする請求項１記載の下肢用筋力訓練機。
【請求項３】
足押板（３）の上部には、足押面（１９）に貫通する横穴（２０）が穿設され、足押板（３）の上部縁が手摺（２１）となることを特徴とする請求項１記載の下肢用筋力訓練機。
【請求項４】
足押板（３）の周囲縁部に、運動者の足が足押板（３）から食み出すのを防ぐストッパー（２２）が取着され、該ストッパー（２２）は手摺（２１）を兼ねることを特徴とする請求項１記載の下肢用筋力訓練機。
【請求項５】
足押板（３）に、回動可能な回動手摺枠（５５）が取り付けられ、回動手摺枠（５５）を、上方へ回動させると手摺機能を現し、下方へ回動させると踵受機能を現すことを特徴とする請求項１記載の下肢用筋力訓練機。
【請求項６】
乗フレーム（８）を支持する左・右レール（３３）・（３４）を、軟性部材（５８）を介して上枠（３２）に固定し、前記左・右レール（３３）・（３４）は僅少に移動出来ることを特徴とする請求項１記載の下肢用筋力訓練機。
【請求項７】
乗部（２）を短尺二本式基枠（５３）で支持し、短尺二本式基枠（５３）に係る短尺左上枠（６２）と短尺右上枠（６３）との間に間隔を設け、
背凭（９）の背面を支持する伸縮体（１７）が後傾状に移動した時、該伸縮体（１７）を前記短尺左上枠（６２）と短尺右上枠（６３）との間へ収納出来ることを特徴とする請求項１記載の下肢用筋力訓練機。
【請求項８】
錘（２７）に貫通する調節芯棒（５６）と索体（２６）とをネジ式伸縮機構（５７）で連結し、該ネジ式伸縮機構（５７）の縮小操作により索体（２６）の弛みを除去出来ることを特徴とする請求項１記載の下肢用筋力訓練機。
【発明の詳細な説明】
【技術分野】
【０００１】
本発明は、要支援の者又は要介護の者（以下運動者という）の諸筋を増強するための下肢用筋力訓練機に関する。
【背景技術】
【０００２】
従来装置の特許文献１には、乗せ部材、足押し部材、荷重手段、支持手段を備えた運動用器具が開示されている。乗せ部材と足押し部材との間に運動者が出入り可能な空間を設けられており、荷重手段と足押し部材とに渡って支持フレーム部連結部が設けられている。
【０００３】
前記従来装置は、乗せ部材と足押し部材との間に運動者が出入り可能な空間を設けたので、運動者が、たとえ高齢者又は身体障害者であったとしても、支持手段により乗せ部材方向へ移動することを妨げられることなく、容易に、乗せ部材に着座して、筋力強化を図ることができる。
【０００４】
しかし、器具の左側前部に荷重手段と足押し部材とに渡って支持フレーム部連結部が設けられているので、器具の左側前部から乗せ部材に近づくことは難しく、不便なものであった。
【０００５】
又、特許文献１の図２に示されているように、乗せ部材と荷重手段の間に乗せ部材の初期位置を決める調節フレーム（１４個の丸が記載された縦に長方形のもの）が設けられ、乗せ部材と荷重手段の間に長尺な間隔が有り、乗せ部材上の運動者が自分で荷重手段を操作できず負荷の調節が出来ず不便なものであった。
【特許文献１】特開２００４−１９４９８５号公報
【発明の開示】
【発明が解決しようとする課題】
【０００６】
解決しようとする課題は、下肢用筋力訓練機において、負荷を調節しやすく又乗降し易くすることである。
【課題を解決するための手段】
【０００７】
本発明の目的は、負荷を調節しやすく又乗降し易い下肢用筋力訓練機１を提供することである。
本発明は、運動者が乗る乗部（２）と、運動者が足で押す足押板（３）と、乗部（２）の移動に負荷を掛ける荷重部（５）と、乗部（２）の前方へ運動者が出入り可能な空間を設けて乗部（２）に足押板（３）を連結する足押板連結部（６）と、乗部（２）に荷重部（５）を連結設置する荷重連結具（７）とからなり、前記荷重部（５）は、複数の錘（２７）が積み重ねられてなり、負荷となる錘（２７）の数は差込ピン（２８）の差込位置により変更され、荷重部（５）は、荷重連結具（７）によって乗部（２）の真横へ並列に接近して連結配置され、前記足押板連結部（６）の左右側部には空間が確保され、足押板連結部（６）は、足押板（３）と乗部（２）を連結する基枠（１３）と、基枠（１３）に被設する平板（２３）とからなり、足押板連結部（６）は低位置に設けられ、運動者は、前記差込位置の変更に係る差込ピン（２８）の抜き差し操作を行なうことが出来、更に、前記足押板連結部(６)上に踏み上がり通り抜け出来、更に、下肢用筋力訓練機（１）の左右いずれの側からでも乗部（２）へ近づき乗ることが出来ることを特徴とする下肢用筋力訓練機である。
又、荷重連結具（７）は、パイプ（５１）であり、該パイプ（５１）は長さの異なる他のパイプ（５１ａ）と交換でき、乗部（２）と荷重部（５）の離間距離を変更出来る。
更に、足押板（３）の上部には、足押面（１９）に貫通する横穴（２０）が穿設され、足押板（３）の上部縁が手摺（２１）となる。
更に又、足押板（３）の周囲縁部に、運動者の足が足押板（３）から食み出すのを防ぐストッパー（２２）が取着され、該ストッパー（２２）は手摺（２１）を兼ねる。
又、足押板（３）に、回動可能な回動手摺枠（５５）が取り付けられ、回動手摺枠（５５）を、上方へ回動させると手摺機能を現し、下方へ回動させると踵受機能を現す。
更に、乗フレーム（８）を支持する左・右レール（３３）・（３４）を、軟性部材（５８）を介して上枠（３２）に固定し、前記左・右レール（３３）・（３４）は僅少に移動出来る。
更に又、乗部（２）を短尺二本式基枠（５３）で支持し、短尺二本式基枠（５３）に係る短尺左上枠（６２）と短尺右上枠（６３）との間に間隔を設け、背凭（９）の背面を支持する伸縮体（１７）が後傾状に移動した時、該伸縮体（１７）を前記短尺左上枠（６２）と短尺右上枠（６３）との間へ収納出来る。
又、錘（２７）に貫通する調節芯棒（５６）と索体（２６）とをネジ式伸縮機構（５７）で連結し、該ネジ式伸縮機構（５７）の縮小操作により索体（２６）の弛みを除去出来る。
【発明の効果】
【０００８】
本発明に係る荷重部５は、複数の錘２７が積み重ねられてなり、負荷となる錘２７の数は差込ピン２８の差込位置により変更され、荷重部５は、荷重連結具７によって乗部２の真横へ並列に接近して連結配置され、前記足押板連結部６の左右側部には空間が確保され、前記足押板連結部６は、足押板３と乗部２を連結する基枠１３と、基枠１３に被設する平板２３とからなり、足押板連結部６は低位置に設けられるから、運動者が運動時の負荷荷重を、自分で、自分に合った無理のない荷重に設定できその荷重によって好適に運動でき、意欲的に能率のよい訓練が行なえ、好都合である。
又、足押板連結部６上へ楽に踏み上がれ、通り抜け出来、乗部２に左右いずれの側からでも乗り易く、好都合である。
更に、平板２３上を躓くことなく容易に歩け、好都合である。
【０００９】
本発明に係る荷重連結具７は、パイプ５１であり、該パイプ５１は長さの異なる他のパイプ５１ａと交換でき、乗部２と荷重部５の離間距離を変更出来るから、ユーザーの要求に応じて、乗部２と差込ピン２８との距離を、運動者の手の届く好適な離間距離（好適な離間距離は、２５０ミリ乃至３００ミリ）に変更設定でき、好都合である。
【００１０】
本発明に係る足押板３の上位部には、足押面１９に貫通する横穴２０が穿設され、足押板３の上部縁が手摺２１となるものであるから、手摺２１に係る構成が簡素となり、好都合である。
【００１１】
本発明は、足押板３の周囲縁部に、運動者の足の食み出しを防ぐストッパー２２が取着されてなり、該ストッパー２２が手摺２１を兼ねるから、足押板３から運動者の足が食み出すのを防ぐことができ、該ストッパー２２は手摺２１に兼用できるから安価に製作でき、掴み易く、好都合である。
【００１２】
本発明に係る足押板３に、回動可能な回動手摺枠５５が取り付けられ、回動手摺枠５５を、上方へ回動・掛止させると手摺機能を現し、下方へ回動させると踵受機能を現するから、手摺機能では、乗降時に回動手摺枠５５を掴めば下肢筋力訓練機１への乗降が楽であり安全であり、好都合である。踵受機能ではトレーニング中踵が滑り落ちるのを防ぐことができ、特に、片麻痺の運動者には踵を足押板３に保持でき極めて有益であり、又、回動手摺枠５５が手摺・踵受機能の二機能を有し、コストを削減でき、好都合である。
【００１３】
本発明に係る乗フレーム８を支持する左・右レール３３・３４を、軟性部材５８を介して上枠３２に固定し、前記左・右レール３３・３４は僅少に移動出来るものであるから、左・右レール３３・３４に外嵌し載設された乗フレーム８が左・右レール３３・３４の延設方向（＝前後方向）に移動する時、従来の軟性部材５８を有さないものでは、左・右レール３３・３４に製作上の誤差が有った場合乗フレーム８が円滑に移動できないが、本発明では軟性部材５８が左・右レール３３・３４の僅少移動を許し、製作誤差を吸収し、乗フレーム８及び乗部２が円滑に摺動出来、好都合である。
【００１４】
本発明に係る乗部２を短尺二本式基枠５３で支持し、短尺二本式基枠５３に係る短尺左上枠６２と短尺右上枠６３との間に間隔を設け、背凭９の背面を支持する伸縮体１７が後傾状に移動した時、該伸縮体１７を前記短尺左上枠６２と短尺右上枠６３との間へ収納出来るから、短尺二本式基枠５３が延長方向に付いて短尺であり、下肢用筋力訓練機１を小型化でき、好都合である。
【００１５】
本発明に係る錘２７に貫通する調節芯棒５６と索体２６とをネジ式伸縮機構５７で連結したものであるから、該ネジ式伸縮機構５７で索体２６の弛みを容易な縮小操作で除去出来、弛みを除去した後は、乗部２の変位を錘２７に適切に伝導でき、好都合である。
【発明を実施するための最良の形態】
【００１６】
運動者は、本発明の下肢用筋力訓練機１を用いて下肢の運動機能に係る筋力のパワーアップを図る。
運動者は乗部２に腰掛け、足を足押板３に当て、下肢を伸展させて足押板３を押す。足押板３を押した時の反動で乗部２が後方へ摺動する。乗部２が摺動する時、荷重部５の錘２７を引き上げ、膝関節の伸展動作に負荷を掛け、下肢の訓練を行なう。差込ピン２８の差込位置によって錘２７の数は適宜に増減変更され設定される。前記変更に係る差込ピン２８の抜き差し操作は運動者によって行なえる。
【実施例１】
【００１７】
図１〜４に本発明の実施例１を示す。
図１は右側前方向から見た斜視図、図２は右側面図、図３は平面図、図４は正面図である。
実施例１の下肢用筋力訓練機１を用いて、運動者は、乗部２に腰掛け、足押板３に足を乗せ、下肢を伸展させながら足押板３を押し、その反動で乗部２を動かし、大腿四頭筋その他の筋の訓練を行なう。
【００１８】
具体的には、下肢用筋力訓練機１はレッグプレスであり、運動者は、座部４に腰掛け姿勢で、足で足押板３を押し、屈曲した膝を伸展するという動作を複数回繰り返し行なう。
【００１９】
実施例１は、運動者が乗る乗部２と、運動者が足で押す足押板３と、乗部２の移動に抗して荷重を掛ける荷重部５と、乗部２と足押板３とを連結する足押板連結部６と、乗部２と荷重部５とを連結し荷重部５を乗部２の横へ配置する荷重連結具７とからなる。
【００２０】
乗部２は、運動者が座るものであって、基枠１３と、乗フレーム８と、該乗フレーム８に取着される座部４、背凭９、リクライニング機構１０、握具１１、及び初期設定具１２とからなる。
【００２１】
基枠１３は、一本基枠１３ａと、後立上部３９と、縦枠３１と、後立上部３９と縦枠３１とで支持された上枠３２とからなる。
上枠３２は、左・右上枠３２ａ・３２ｂと、前・後上枠６７・６６とからなる。
前部上枠６７と後部上枠６６の間に渡して、左・右レール３３・３４がゴム筒でなる軟性部材５８を介して取り付けられる。左・右レール３３・３４の前後端部に軟性部材５８が巻き回されこの軟性部材５８が前・後上枠６７・６８に取り付けられる。
前記左・右レール３３・３４に外嵌し摺動可能に前記乗フレーム８が設けられる。
【００２２】
初期設定具１２は、基枠１３に取着された棒１４に、乗フレーム８に取着された外筒１５を外嵌し、棒１４の設定具穴４７にピン（図示省略）を差し込み、該ピンで外筒１５を棒１４の適宜位置に掛止し、乗部２の水平方向の位置を決めるものである。
初期設定レバー１６で初期設定具１２の掛止・解除操作をなし、乗部２の初期位置を設定する。
【００２３】
リクライニング機構１０は背凭９の後傾可能に支持すると共に後傾角度を調節するものであり、前記角度調節は伸縮体１７の長さを変更調節して行なう。背凭レバー１８を操作して伸縮体１７の伸縮作動を停止・解除し、後傾角度を設定する。
【００２４】
足押板３は、運動者が足を乗せ該足の裏側で押す板である。
前記基枠１３に連結された左右側枠３５・３６が乗部２の前方へ延設される。左右側枠３５・３６の前方には上方へ湾曲してなる前立上部３８が形成される。足押板３の下部は、前立上部３８に設けられた回動軸４４で軸支される。
【００２５】
足押板３の上位部には、足押面１９に貫通する横穴２０が穿設され、足押板３の上部縁が手摺２１となる。
足押板３の裏面中部と、前立上部３８の適宜位置とに伸縮具４０が渡して設けられる。足押板３の傾斜角度は、伸縮具４０の長さ調節によって調節される。足押板レバー４１をもって伸縮具４０の伸縮作動の停止・解除を行ない、伸縮具４０の長さを調節する。
【００２６】
足押板３の周囲縁部に、運動者の足が足押板３から食み出すのを防ぐストッパー２２が取着され、該ストッパー２２は手摺２１を兼ねる。
又、ストッパー２２に、足押板３から足が脱落するのを防ぐ足受３７が取着される。
【００２７】
足押板連結部６は、足押板３と乗部２を連結するもので、低位に形成される。
足押板連結部６は、前記一本基枠１３ａと、前記一本基枠１３ａの左右に連結される前記左・右側枠３５・３６と、左・右側枠３５・３６及び一本基枠１３ａにこれらの枠より幅広に被設する平板２３とからなる。
平板２３の上面は水平であり、運動者は前記足押板連結部６上に踏み上がることが出来る。
【００２８】
前記基枠１３に連結される前記左・右側枠３５・３６、及び、基枠１３の下面の適宜箇所（＝具体例では６箇所）にはこれらの枠を支持する脚４５が設けられ、これらの枠は床面から僅か（＝具体例では１５ミリ）離間する。脚４５の下面には適宜なゴム板４６が取り付けられる。
【００２９】
荷重部５は、乗部２が移動の始点から終点へ進行する時に乗部２の移動に負荷を掛けるものである。
荷重部５は、錘フレーム２４と、錘フレーム２４の所定複数位置に設けられる複数個のプーリー２５と、プーリー２５に掛け回され更に吊下される索体２６と、錘フレーム２４に収容される錘２７と、錘２７同士を連結する調節芯棒５６及び差込ピン２８と、索体２６の端と調節芯棒５６を繋ぐネジ式伸縮機構５７（＝具体例ではターンバックル）と、錘２７を保持する保持ロッド２９とからなる。
【００３０】
錘２７は、錘フレーム２４に多数個積み重ねられて収容されており、錘２７を串刺し状に貫通する調節芯棒５６に一個乃至複数個が差込ピン２８で適宜連結される。
【００３１】
調節芯棒５６と、プーリー２５から吊下された索体２６とがネジ式伸縮機構５７で連結される。前記ネジ式伸縮機構５７を縮小操作すれば索体２６の弛みを除去出来る。
調節芯棒５６は索体２６で吊り上げられ、錘２７は一個乃至複数個が調節芯棒５６に連結され吊り上げられる。この時、錘２７は保持ロッド２９に沿って上方向に移動する。
保持ロッド２９の上部適宜位置に錘２７の上方移動を制限する制限具４２が設けられる。
【００３２】
吊り上げられる錘２７の数は、各錘２７の側壁に開けられた穴３０へ差込ピン２８の差し替え操作で加減する。
負荷となる錘２７の数は差込ピン２８をどの錘２７に差し込むかにより決められる。下位の錘２７の穴３０へ差込ピン２８を差し込めば、当該錘２７の上に積まれる錘２７の数が多く、負荷は大きい。上位の錘２７の穴３０へ差込ピン２８を差し込めば錘２７の数が少なく負荷は小さい。
【００３３】
荷重部５は、乗部２の真横へ接近して並んだ位置に、該乗部２に荷重連結具７で連結し配置される。荷重部５の前記差込ピン２８は、乗部２の横側部に位置するから、施療者又は運動者によって抜き差し操作できるものである。
【００３４】
座部４と差込ピン２８とは運動者の手の届く範囲の離間距離としその距離は２５０ミリ以上３００ミリ以下である。この範囲値は、乗部２に乗った運動者が差込ピン２８の抜き差し操作を行ない易い好適な値である。
前記離間距離が３００ミリ以上では、乗部２に乗った運動者の手が差込ピン２８に届き難い場合や、差込ピン２８を確実に差し込めない場合が起こると共に、無駄な占有スペースが大きくなり、不都合であり、２５０ミリ以下では、近過ぎて差込ピン２８の抜き差し操作を行ない難くい場合が起こり、不都合である。
【００３５】
荷重連結具７は具体例ではパイプ５１である。該パイプ５１の他に長さの異なる他のパイプ５１ａが準備される。他のパイプ５１ａは、標準的なパイプ５１より、長いものもあり又短いものもあり、適宜個数準備される。
前記パイプ５１は、長さの異なる他のパイプ５１ａと交換でき、交換すれば乗部２と荷重部５の離間距離を変更出来る。
図３中、５２は荷重部用固定具、５４は左上枠３２ａから錘２７方向へ突起した、パイプ５１を差し込む乗部突起片５４、５９は乗部突起片５４とパイプ５１を固定する乗部用ボルトである。
【００３６】
荷重部５は、足押板連結部６の両側部位置には無く、足押板連結部６の両側部には空間が確保される。
運動者は、足押板連結部６上に踏み上がることが出来、下肢用筋力訓練機１の左右いずれの側からでも乗部２へ近づけ該乗部２へ乗ることが出来るものである。
従って、運動者が片麻痺等で移乗動作が不自由な場合でも、都合の良い側からアプローチできる。
尚、図３中、６８は足押板３に描いた横線、６９は足押板３に描いた縦線である。
【００３７】
実施例１を使用する際には、先ず、運動者は下肢用筋力訓練機１の左右のいずれかの側から足押板連結部６の平板２３に上がり乗部２に腰掛ける。
荷重部５は乗部２の真横に配置されており、乗部２の両側には空間が確保されているので、運動者は乗部２の左右のいずれの側からでも乗部２へ接近できる。
平板２３は低位置にあり乗部２に乗る時には該平板２３に踏み上がる。
【００３８】
運動者は、足押板３の上部縁の手摺２１を適宜掴んで乗部２に腰掛ける。
運動者は、乗部２に腰掛けた後、握具１１を掴み身体を安定に維持する。
【００３９】
乗部２の初期位置を、初期設定具１２で個人毎の訓練に好適な位置に決め、当該位置で前記ピンを設定具穴４７に挿入し、外筒１５を棒１４に掛止し、乗部２の訓練開始位置を調節設定（＝初期設定）する。この設定により運動者の下肢の訓練開始時点の膝の屈曲角度が設定される。
【００４０】
次に、運動者は足裏を足押板３の面上に当てる。
足押板３の周囲縁部に設けられたストッパー２２は、食み出そうとする足に当って当該足の食み出しを防ぐ。
【００４１】
荷重連結具７の具体的部材であるパイプ５１は、その適宜な長さをもって荷重部５を乗部２に接近して連結固定する。パイプ５１はユーザーの要望に応じて適宜な長さのものを採用し、該パイプ５１は、異なる長さの他のパイプ５１ａに変更でき、荷重部５と乗部２との間隔を変更できる。
【００４２】
前述の引き上げられる錘２７の数は負荷の値に対応する。負荷の大きさは、運動者又は施療者が差込ピン２８で穴３０を適宜選択して決定する。実施例１では、乗部２上の運動者が差込ピン２８を操作できる。
プーリー２５は索体２６の張設中途部を支え索体２６を所定通路に支持し移動させる。
【００４３】
次に、運動者は、下肢に力を入れ、膝関節を伸展し足押板３を押し（＝往動）訓練を開始する。足押板３を押した反動により乗部２が後方へ摺動する。この膝関節の伸展運動により大腿四頭筋その他の筋が強化される。
【００４４】
乗部２が後方へ摺動する時、左・右レール３３・３４は軟性部材５８を変形させることによってその間隔は微小量変動できるので乗部２は円滑に移動できる。
【００４５】
乗部２及び乗フレーム８の後方摺動に伴って、乗フレーム８により索体２６が引かれ、該索体２６により荷重部５の錘２７が一個又は複数個引き上げられ、下肢に錘２７による負荷が掛かる。
【００４６】
次に、膝関節を屈曲状態に戻す（＝復動）。乗部２は前方向へ摺動し元位置へ戻る。この時、錘２７は、下降し元位置へ戻り着地する。錘２７が着地するまでは下肢の筋に順方向の重量が掛かっており、錘２７が着地すると索体２６は弛緩し、前記重量は無くなる。
【００４７】
次に、再び下肢に力を入れ、乗部２を後方へ摺動させる。
運動者は、前記往動と復動の動作を所定回数行ない又は所定時間繰り返し行ない、大腿四頭筋その他の筋力増強訓練を行なう。膝関節の伸展・屈曲に伴い錘２７は錘フレーム２４内を上下方向に移動する。
【００４８】
索体２６が弛んだ時には、ネジ式伸縮機構５７を縮小操作し弛みを除去する。
【００４９】
訓練を終了する時は、運動者は下肢の力を緩める。乗部２は錘２７の下降作用により初期位置に戻る。運動者は、乗部２から降り、足押板連結部６に立ち、下肢用筋力訓練機１の左右のいずれかの側から退出し、訓練を終了する。
【実施例２】
【００５０】
図５、６に示す実施例２は、実施例１に係る基枠１３及び左・右側枠３５・３６を、二本式基枠４３に代えたものである。
実施例２に係る二本式基枠４３は、左・右フレーム４８・４９を有し、乗部２を支持する。
左・右フレーム４８・４９は前方に延設され延設先部に足押板３を支持する。左フレーム４８と右フレーム４９の間に接続部材５０が設けられる。
二本式基枠４３を備えた下肢用筋力訓練機１は、乗部２及び足押板３が堅牢に支持され、耐久性に富み、好適である。
【実施例３】
【００５１】
図７に示す実施例３は、実施例２に係る二本式基枠４３を、短尺二本式基枠５３に代えたものである。
実施例３に係る短尺二本式基枠５３は、当該基枠５３の長手方向の長さを短尺にしたものであり、短尺左・右フレーム６０・６１と、短尺左・右上枠６２・６３と、縦枠３１と、後立上部３９とでなる。短尺左フレーム６０と短尺右フレーム６１の間に接続部材５０が設けられる。
【００５２】
短尺二本式基枠５３で乗部２を支持し、短尺二本式基枠５３に係る短尺左上枠６２と短尺右上枠６３との間に間隔を設け、更に、該短尺左・右上枠６２・６３の後端部における後部左上枠６４と後部右上枠６５との間にも間隔を設ける。
背凭９の背面を支持する伸縮体１７が後傾状に移動した時、該伸縮体１７を前記短尺左上枠６２と短尺右上枠６３との間へ収納出来る。
短尺二本式基枠５３の前方部には、足押板３が接続される。
短尺二本式基枠５３を備えた下肢用筋力訓練機１は、乗部２が堅牢に支持され、耐久性に富み、奥行きを短縮できる。
【実施例４】
【００５３】
図８に示す実施例４は、実施例１に係る足押板３に、回動手摺枠５５を付加取着したものである。
足押板３の左右側壁に両端が軸支された回動手摺枠５５は回動・掛止可能であり、該回動手摺枠５５を上方へ回動・掛止させると手摺機能を現し、下方へ回動・掛止させると踵受機能を現す。
【産業上の利用可能性】
【００５４】
本発明の下肢用筋力訓練機１は、負荷を調節しやすく又乗降し易くする為に作られるものであって、運動者が乗る乗部２と、運動者が足で押す足押板３と、乗部２の移動に抗して荷重を掛ける荷重部５と、乗部２と足押板３を連結する足押板連結部６と、乗部２の真横へ荷重部５を連結する荷重連結具７とからなり、荷重部５は、複数の錘２７が積み重ねられて構成され、負荷となる錘２７の数は差込ピン２８の差込位置により変更され、荷重部５は、乗部２に接近して設けられる。本発明は、運動者が左右のどちら側からでも容易に乗部２へ乗ることができ差込ピン２８が運動者によって操作できることが要求される下肢用筋力訓練機に適用できる。
【図面の簡単な説明】
【００５５】
【図１】本発明の実施例１の斜視図である。
【図２】本発明の実施例１の右側面図である。
【図３】本発明の実施例１を上から見た図である。
【図４】本発明の実施例１の正面図である。
【図５】本発明の実施例２の一部を省略した斜視図である。
【図６】本発明の実施例２の二本式基枠を示す図である。
【図７】本発明の実施例３の短尺二本式基枠を示す図である。
【図８】本発明の実施例４の回動手摺枠を示す図である。
【符号の説明】
【００５６】
１  下肢用筋力訓練機
２  乗部
３  足押板
５  荷重部
６  足押板連結部
７  荷重連結具
９  背凭
１３  基枠
１７  伸縮体
１９  足押面
２０  横穴
２１  手摺
２２  ストッパー
２３  平板
２６  索体
２７  錘
２８  差込ピン
３２  上枠
３３  左レール
３４  右レール
５１  パイプ
５１ａ他のパイプ
５３  短尺二本式基枠
５５  回動手摺枠
５６  調節芯棒
５７  ネジ式伸縮機構
６２  短尺左上枠
６３  短尺右上枠
【図１】
2007000448.tif 000003
【図２】
2007000448.tif 000004
【図３】
2007000448.tif 000005
【図４】
2007000448.tif 000006
【図５】
2007000448.tif 000007
【図６】
2007000448.tif 000008
【図７】
2007000448.tif 000009
【図８】
2007000448.tif 000010